(57)【特許請求の範囲】
【請求項１】
タップ付変成器（１５）の電圧を制御するための負荷時タップ切換器（１０）であって、
タップ付変成器（１５）が、第一の巻線（２０）と第二の巻線（３０）を備えた少なくとも一つの制御すべき相（１６）を有し、
第一の巻線（２０）が、偶数番号（２，４，６，８，１０，１２，１４）を付与された偶数番の巻線タップ（２３）を備えた制御巻線（２１）と主巻線（２２）とを有し、
第二の巻線（３０）が、奇数番号（１，３，５，７，９，１１，１３）を付与された奇数番の巻線タップ（３３）を備えた制御巻線（３１）と主巻線（３２）とを有し、
第一の巻線（２０）と第二の巻線（３０）が誘導結合されており、
負荷時タップ切換器（１０）が、切り換えるべき偶数番又は奇数番の巻線タップ（２３，３３）を無電力状態で交互に事前選択する一つの選択器（４０）を有し、
この選択器（４０）が、切り換えるべき巻線タップ（２３，３３）を無電力状態で事前選択するために、偶数番の巻線タップ（２３）を備えた制御巻線（２１）用の第一の選択器部分（４１）と、奇数番の巻線タップ（３３）を備えた制御巻線（３１）用の第二の選択器部分（４６）とを有し、
負荷時タップ切換器が、この選択器（４０）により無負荷状態で事前選択された制御巻線（２１，３１）の偶数番又は奇数番の巻線タップ（２３，３３）の間の切換を実施する負荷開閉器（６０）を有し、
この第一の選択器部分（４１）が、偶数番の巻線タップ（２３）用の第一及び第二の選択器アーム（４２，４３）を有し、
この第二の選択器部分（４６）が、奇数番の巻線タップ（３３）用の第一及び第二の選択器アーム（４７，４８）を有し、
この第一の選択器部分（４１）が、タップ接点（４４）を介して、偶数番の巻線タップ（２３）と通電接続されており、
この第二の選択器部分（４６）が、タップ接点（４９）を介して、奇数番の巻線タップ（３３）と通電接続されており、
各選択器アーム（４２，４３，４７，４８）が、それぞれ一つのバイパスレール（５１，５２，５３，５４）と通電接続されるとともに、それぞれ一つの対応する制御巻線（２１，３１）のタップ接点（４４，４９）と通電接続され、
各バイパスレール（５１，５２，５３，５４）が負荷開閉器（６０）と通電接続されており、
第一の選択器部分（４１）の第一の選択器アーム（４２）が、第二の選択器部分（４６）の第二の選択器アーム（４８）と機械的に連結されており、
第二の選択器部分（４６）の第一の選択器アーム（４７）が、第一の選択器部分（４１）の第二の選択器アーム（４３）と機械的に連結されており、
第一の選択器部分（４１）の第一の選択器アーム（４２）が、第一の選択器部分（４１）の第二の選択器アーム（４３）と独立して動くことができ、
第二の選択器部分（４６）の第一の選択器アーム（４７）が、第二の選択器部分（４６）の第二の選択器アーム（４８）と独立して動くことができる、
ことを特徴とする負荷時タップ切換器。
【請求項２】
請求項１に記載の負荷時タップ切換器（１０）において、
第一の選択器部分（４１）の第一の選択器アーム（４２）が第二の選択器部分（４６）の第一の選択器アーム（４７）と独立して動くことができ、
第一の選択器部分（４１）の第二の選択器アーム（４３）が第二の選択器部分（４６）の第二の選択器アーム（４８）と独立して動くことができ、
偶数番の巻線タップ（２３）と接続されたタップ接点（４４）が垂直方向に対して直線的に配置されており、
奇数番の巻線タップ（３３）と接続されたタップ接点（４９）が垂直方向に対して直線的に配置されており、
これらの選択器アーム（４２，４３，４７，４８）が垂直方向に直線的に動かすことができ、
当該の負荷開閉器（６０）が第一の開閉側（６０Ａ）と第二の開閉側（６０Ｂ）を有し、
この第一の開閉側（６０Ａ）が、第一の選択器部分（４１）の第一のバイパスレール（５１）と第二の選択器部分（４６）の第二のバイパスレール（５４）を切り離すか、或いは接続し、
この第二の開閉側（６０Ｂ）が、第一の選択器部分（４１）の第二のバイパスレール（５２）と第二の選択器部分（４６）の第一のバイパスレール（５３）を切り離すか、或いは接続する、
ことを特徴とする負荷時タップ切換器。
【請求項３】
請求項２に記載の負荷時タップ切換器（１０）において、
各開閉側（６０Ａ，６０Ｂ）が、少なくとも一つの機械式スイッチ（ＭＤＣａ，ＭＤＣｂ）、二つの真空開閉管（ＴＴＶａ，ＴＴＶｂ，ＭＳＶａ，ＭＳＶｂ）及び一つの抵抗（Ｒａ，Ｒｂ．６７）を有し、
各機械式スイッチ（ＭＤＣａ，ＭＤＣｂ）が、一つの真空開閉管（ＭＳＶａ，ＭＳＶｂ）から成る第一の開閉分岐路（６１，６３）及びこの分岐路と並列の、一つの真空開閉管（ＴＴＶａ，ＴＴＶｂ）とそれと直列に接続された一つの抵抗（Ｒａ，Ｒｂ．６７）から成る第二の開閉分岐路（６２，６４）と直列に接続されており、
各抵抗（Ｒａ，Ｒｂ．６７）が鋳鉄製抵抗として構成されている、
ことを特徴とする負荷時タップ切換器。
【請求項４】
請求項２に記載の負荷時タップ切換器（１０）において、
各開閉側（６０Ａ，６０Ｂ）が、少なくとも一つの機械式スイッチ（ＭＤＣａ，ＭＤＣｂ，ＴＤＣａ，ＴＤＣｂ）、二つの真空開閉管（ＴＴＶａ，ＴＴＶｂ，ＭＳＶａ，ＭＳＶｂ）及び一つの抵抗（Ｒａ，Ｒｂ．６７）を有し、
第一の開閉分岐路（６１，６３）が第二の開閉分岐路（６２，６４）に対して並列に接続され、
第一の開閉分岐路（６１，６３）が、直列に接続された一つの機械式スイッチ（ＭＤＣａ，ＭＤＣｂ）と一つの真空開閉管（ＭＳＶａ，ＭＳＶｂ）を有し、
第二の開閉分岐路（６２，６４）が、直列に接続された一つの機械式スイッチ（ＴＤＣａ，ＴＤＣｂ）、一つの真空開閉管（ＴＴＶａ，ＴＴＶｂ）及び一つの抵抗（Ｒａ，Ｒｂ．６７）を有し、
各抵抗（Ｒａ，Ｒｂ．６７）が鋳鉄製抵抗として構成されている、
ことを特徴とする負荷時タップ切換器。
【請求項５】
請求項２に記載の負荷時タップ切換器（１０）において、
各開閉側（６０Ａ，６０Ｂ）が、少なくとも一つの機械式スイッチ（ＭＤＣａ，ＭＤＣｂ）、二つの真空開閉管（ＴＴＶａ，ＴＴＶｂ，ＭＳＶａ，ＭＳＶｂ）及び一つの抵抗（Ｒａ，Ｒｂ．６７）を有し、
各機械式スイッチ（ＭＤＣａ，ＭＤＣｂ）が、一つの真空開閉管（ＴＴＶａ，ＴＴＶｂ）と直列に接続されるとともに、一つの抵抗（Ｒａ，Ｒｂ．６７）から成る第一の開閉分岐路（６１，６３）及び一つの真空開閉管（ＭＳＶａ，ＭＳＶｂ）から成る第二の開閉分岐路（６２，６４）と直列に接続され、
第一と第二の開閉分岐路（６１，６２，６３，６４）が並列に接続されており、
各抵抗（Ｒａ，Ｒｂ．６７）が鋳鉄製抵抗として構成されている、
ことを特徴とする負荷時タップ切換器。
【請求項６】
請求項２に記載の負荷時タップ切換器（１０）において、  各開閉側（６０Ａ，６０Ｂ）が、第一と第二の開閉分岐路（６１，６２，６３，６４）と並列に接続された定常主接点（ＭＣａ，ＭＣｂ）を有し、  各定常主接点（ＭＣａ，ＭＣｂ）が、第一と第二のバイパスレール（５１，５２，５３，５４）を直接互いに切り離すか、或いは互いに通電接続する、ことを特徴とする負荷時タップ切換器。
【請求項７】
請求項１から６までのいずれか一つに記載の負荷時タップ切換器（１０）において、
選択器（４０）及び／又は負荷開閉器（６０）に連結されたモータ駆動部（７２）と、  モータ駆動部（７２）を選択器（４０）及び／又は負荷開閉器（６０）に連結するための被動シャフトと、
モータ駆動部（７２）を被動シャフトに、或いは選択器（４０）及び／又は負荷開閉器（６０）に連結するための伝動部（７０）と、
モータ駆動部（７２）を伝動部（７０）に連結するための駆動シャフト（１９）と、
の中の一つ以上を有することを特徴とする負荷時タップ切換器。
【請求項８】
請求項７に記載の負荷時タップ切換器（１０）において、
上方の支柱端（１２）と、地電位に有る台座（１４）に固定することができる下方の支柱端（１３）とを有する電気絶縁用支柱（１１）を有し、
当該の選択器（４０）が、上方の支柱端（１２）の所に固定されて、上方の支柱端（１２）の上方に配置されることと、
当該の負荷開閉器（６０）が、上方の支柱端（１２）の所に固定されて、上方の支柱端（１２）の上方で、選択器（４０）の下方に配置されることと、
当該の伝動部（７０）が、上方の支柱端（１２）の所に固定されて、上方の支柱端（１２）の上方で、選択器（４０）の下方及び／又は抵抗（６７）の上方に配置されるか、或いは下方の支柱端（１３）の所に固定されて、下方の支柱端（１３）の下方で、台座（１４）内に配置されることと、
当該のモータ駆動部（７２）が、下方の支柱端（１３）の所に固定されて、下方の支柱端（１３）の下方に配置されることと、
当該の駆動シャフト（１９）又は被動シャフトが、下方の支柱端（１３）から上方の支柱端（１２）にまで支柱（１１）を通って延びることと、
の中の一つ以上であることを特徴とする負荷時タップ切換器。
【請求項９】
請求項７に記載の負荷時タップ切換器（１０）において、
タップ付変成器（１５）の制御すべき第二の相（１７）用の第二の選択器（４５）と、  タップ付変成器（１５）の制御すべき第三の相（１８）用の第三の選択器（５０）と、  この第二の選択器（４５）に割り当てられた第二の負荷開閉器（３８）と、
この第三の選択器（５０）に割り当てられた第三の負荷開閉器（３９）と、
を有し、
これらの選択器（４０，４５，５０）が三角形（２６）の頂点に配置されており、
当該のモータ駆動部（７２）が、第二と第三の選択器（４５，５０）及び／又は第二と第三の負荷開閉器（３８，３９）に連結されており、
この負荷時タップ切換器（１０）が、
モータ駆動部（７２）を第二の選択器（４５）及び／又は第二の負荷開閉器（３８）に連結するための第二の被動シャフトと、
モータ駆動部（７２）を第三の選択器（５０）及び／又は第三の負荷開閉器（３９）に連結するための第三の被動シャフトと、
モータ駆動部（７２）を第二の被動シャフトに、或いは第二の選択器（４５）及び／又は第二の負荷開閉器（３８）に連結するための第二の伝動部（３６）と、
モータ駆動部（７２）を第三の被動シャフトに、或いは第三の選択器（５０）及び／又は第三の負荷開閉器（３９）に連結するための第三の伝動部（３７）と、
モータ駆動部（７２）を第二の伝動部（３６）に連結するための第二の駆動シャフト（３４）と、
モータ駆動部（７２）を第三の伝動部（３７）に連結するための第三の駆動シャフト（３５）と、
の中の一つ以上を有するとともに、
第二の選択器（４５）及び／又は第二の負荷開閉器（３８）に連結された第二のモータ駆動部（５７）と、
第三の選択器（５０）及び／又は第三の負荷開閉器（３９）に連結された第三のモータ駆動部（５８）と、
を有し、
機械式連結及び／又は電気式連結によって、これらのモータ駆動部（７２，５７，５８）を同期させる、
ことを特徴とする負荷時タップ切換器。
【請求項１０】
請求項１から９までのいずれか一つに基づき構成された一つの負荷時タップ切換器（１０）と、第一の巻線（２０）と第二の巻線（３０）を備えた少なくとも一つの制御すべき相（１６）とを有する、電圧制御用のタップ付変成器（１５）において、
第一の巻線（２０）が、偶数番号（２，４，６，８，１０，１２，１４）を付与された偶数番の巻線タップ（２３）を備えた制御巻線（２１）と主巻線（２２）とを有し、
第二の巻線（３０）が、奇数番号（１，３，５，７，９，１１，１３）を付与された奇数番の巻線タップ（３３）を備えた制御巻線（３１）と主巻線（３２）とを有し、
第一の巻線（２０）と第二の巻線（３０）が誘導結合されており、
負荷時タップ切換器（１０）が、切り換えるべき偶数番又は奇数番の巻線タップ（２３，３３）を無電力状態で交互に事前選択するための第一の選択器部分（４１）と第二の選択器部分（４６）を有する、
ことを特徴とするタップ付変成器。
【請求項１１】
請求項１０に記載のタップ付変成器（１５）において、
第一の選択器部分（４１）及び第二の選択器部分（４６）を操作するためのモータ駆動部（７２）を備えた伝動部（７０）が配備されており、
各相の各負荷時タップ切換器（１０）が共通のモータ駆動部（７２）と接続されている、
ことを特徴とするタップ付変成器。
【請求項１２】
請求項１０又は１１に記載のタップ付変成器（１５）において、
制御すべき第二及び第三の相（１７，１８）を有し、
これらの相（１６，１７，１８）が第一の正三角形（２４）の頂点に互いに対称的に配置されており、
負荷時タップ切換器（１０）が、
第二の相（１７）用の第二の選択器（４５）と、
第三の相（１８）用の第三の選択器（５０）と、
を有し、
これらの選択器（４０，４５，５０）が第二の三角形（２６）の頂点に配置されており、
このタップ付変成器（１５）が、
第二の相（１７）用の第二の負荷時タップ切換器（５５）及び第三の相（１８）用の第三の負荷時タップ切換器（５６）と、
を有し、
これらの相（１６，１７，１８）が第一の正三角形（２４）の頂点に互いに対称的に配置され、
これらの負荷時タップ切換器（１０，５５，５６）が第二の三角形（２６）の頂点に配置されており、
このタップ付変成器（１５）が、
相（１６，１７，１８）毎に、各選択器（４０，４５，５０）及び／又は各負荷開閉器（６０，３８，３９）に連結されたモータ駆動部（７２，５７，５８）を有し、
これらのモータ駆動部（７２，５７，５８）が、第三の三角形（２８）の頂点に配置されている、
ことを特徴とするタップ付変成器。
【請求項１３】
請求項１０から１２までのいずれか一つに基づき構成された電圧制御用のタップ付変成器（１５）で切換を実施する方法において、
タップ付変成器（１５）が第一の巻線（２０）と第二の巻線（３０）を有し、
第一の巻線（２０）が、偶数番号（２，４，６，８，１０，１２，１４）を付与された偶数番の巻線タップ（２３）を備えた制御巻線（２１）を有し、
第二の巻線（３０）が、奇数番号（１，３，５，７，９，１１，１３）を付与された奇数番の巻線タップ（３３）を備えた制御巻線（３１）を有し、
切り換えるべき偶数番又は奇数番の巻線タップ（２３，３３）を無負荷状態で事前選択し、
単一の負荷開閉器（６０，３８，３９）を用いて、この事前選択された偶数番又は奇数番の巻線タップ（２３，３３）に切り換え、
これらの偶数番又は奇数番の巻線タップ（２３，３３）を交互に事前選択して、切り換える、
ことを特徴とする方法。
【発明の詳細な説明】
【技術分野】
【０００１】
本発明は、タップ付変成器の電圧を制御するための負荷時タップ切換器、特に、第一の巻線と第二の巻線を備えた少なくとも一つの制御すべき相を有するタップ付変成器用の負荷時タップ切換器、電圧制御用のタップ付変成器及び電圧制御用タップ付変成器での切換実施方法に関する。
【背景技術】
【０００２】
エネルギー供給分野において、様々な種類の変成器が使用されている。広く普及しているオイル内に配置された変成器の外に、乾式変成器も有る。乾式変成器では、樹脂と周囲の空気がオイルを絶縁して冷却する機能を引き受けている。オイルがそれらの機能を数倍良く果たすので、様々な変成器タイプの電力範囲がそれに応じて異なっている。
【０００３】
今日多くの人が市内に移住して、そこに住み着いている。従って、エネルギー供給をその開発に応じて適合させなければならない。オイルで満たされた変成器では、人口密集地域に壊滅的な結果をもたらす変成器火災の虞が常に存在する。その理由から、様々な乾式変成器とそれに付属する制御機器の開発に旺盛な関心が寄せられている。
【０００４】
特許文献１により、各相が二つの巻線から成るタップ付変成器が周知である。それらの巻線は、それぞれタップを有する互いに結合された二つの領域を有する。負荷選択器、所謂統合式負荷時タップ切換器は、それが先ず一方の巻線のタップに切り換えられた後、他方のタップに切り換えられるように、タップと接続されている。そのことは、同じくタップの切り離しにも言える。一つのタップから次のタップへの切換は、一回の工程で行なわれている。その本来の切換は、三つの接点と二つの遷移抵抗から成る接点システムにより実施されている。その実施構成は、次の欠点を有する。
【０００５】
ａ）先ず、一方の巻線部分の全てのタップが切り換え、或いは切り離された後、他方の巻線部分のタップが切り換え、或いは切り離されている。それは、変成器の望ましくない磁気不平衡を引き起こす。
【０００６】
ｂ）中間位置を通って移動した場合、負荷電流の転流によって、バイパス接点と擦り接点で燃焼が発生する。
【０００７】
ｃ）その中間位置を通る切換による切換工程が、変成器に電圧変化を生じさせない。
【０００８】
ｄ）タップ接点とバイパス接点の間で、変成器の全制御範囲の電圧が部分的に発生する。それは、高電圧の場合に大きな間隔が必要であることを意味する。
【先行技術文献】
【特許文献】
【０００９】
【特許文献１】欧州特許第０２１３４６１号明細書
【特許文献２】ドイツ特許公開第４０２９０９７号明細書
【特許文献３】米国特許公開第５２０２６６４号明細書
【特許文献４】欧州特許第１２７７２１７号明細書
【特許文献５】欧州特許公開第２３６７１８１号明細書
【特許文献６】米国特許公開第２０１３３２８６５２号明細書
【発明の概要】
【発明が解決しようとする課題】
【００１０】
以上のことから、本発明の課題は、従来技術の欠点を防止した、高電圧時に使用できる電圧制御用負荷時タップ切換器、安全であり信頼できる電圧制御用タップ付変成器、並びにタップ付変成器の安全な動作を保証する、電圧制御用タップ付変成器で切換を実施する方法を提供することである。
【課題を解決するための手段】
【００１１】
本課題は、独立請求項による負荷時タップ切換器、タップ付変成器及び方法によって解決される。本発明の有利な改善構成及び実施構成は従属請求項に記載されている。
【００１２】
本発明は、第一の観点において、
ａ）タップ付変成器が、第一の巻線と第二の巻線を備えた少なくとも一つの制御すべき相を有し、
ｂ）第一の巻線が、偶数番の巻線タップを備えた制御巻線と主巻線とを有し、第二の巻線が、奇数番の巻線タップを備えた制御巻線と主巻線とを有し、
ｃ）これらの偶数番と奇数番の巻線タップの制御巻線を有する第一の巻線と第二の巻線が誘導結合されており、
ｄ）負荷時タップ切換器が、切り換えるべき偶数番又は奇数番の巻線タップを無電力状態で交互に事前選択する一つの、特に、第一の選択器を有する、
タップ付変成器の電圧を制御する負荷時タップ切換器を提案する。
【００１３】
この本発明の第一の観点に基づき提案した負荷時タップ切換器は、タップ付変成器の電圧を制御する役割を果たす。このタップ付変成器は、第一の巻線と第二の巻線を備えた少なくとも一つの制御すべき相を有する。第一の巻線は、それぞれ偶数番の巻線タップを備えた制御巻線を有し、第二の巻線は、奇数番の巻線タップを備えた制御巻線を有する。更に、それぞれ主巻線が配備され、第一の巻線と第二の巻線が、これらの偶数番と奇数番の巻線タップの制御巻線と誘導結合されている。この負荷時タップ切換器は、切り換えるべき偶数番又は奇数番の巻線タップを無電力状態で交互に事前選択することが可能なように構成された一つの、特に、第一の選択器を有する。
【００１４】
ａ）この選択器が、切り換えるべき巻線タップを無電力状態で事前選択するために、偶数番の巻線タップを備えた制御巻線用の第一の選択器部分と、奇数番の巻線タップを備えた制御巻線用の第二の選択器部分とを備える、
と規定することができる。
【００１５】
ここで提案する負荷時タップ切換器の各々が、
ａ）選択器により無負荷状態で事前選択された制御巻線の偶数番又は奇数番の巻線タップの間での切換を実施する一つの、特に、第一の負荷開閉器を有する、
と規定することができる。
【００１６】
この選択器は、切り換えるべき巻線タップを無電力状態で事前選択するために、偶数番の巻線タップを備えた制御巻線用の第一の選択器部分と、奇数番の巻線タップを備えた制御巻線用の第二の選択器部分とを備えている。この切換を実施するために、選択器により無負荷状態で事前選択された制御巻線の間を切り換える一つの、特に、第一の負荷開閉器が偶数番又は奇数番の巻線タップの間に配備されている。
【００１７】
ａ）第一の選択器部分と第二の選択器部分が、それぞれ制御巻線の巻線タップ用の二つの選択器アームを有する、
と規定することができる。
【００１８】
ａ）第一の選択器部分が、タップ接点を介して、第一の巻線の制御巻線の偶数番の巻線タップと通電接続され、
ｂ）第二の選択器部分が、タップ接点を介して、第二の巻線の制御巻線の奇数番の巻線タップと通電接続されている、
と規定することができる。
【００１９】
ａ）各選択器アームがそれぞれ一つのバイパスレール及びそれに対応する制御巻線のそれぞれ一つのタップ接点と通電接続され、
ｂ）各バイパスレールが負荷時タップ切換器と通電接続されている、
と規定することができる。
【００２０】
ａ）各選択器アームには、直線的な動きのために、スピンドル、ベルト又はチェーンが配備される、
と規定することができる。
【００２１】
制御巻線の巻線タップのために、第一の選択器部分には、それぞれ二つの選択器アームが構成され、第二の選択器部分には、それぞれ二つの選択器アームが構成される。第一の選択器部分は、タップ接点を介して、第一の巻線の制御巻線の偶数番の巻線タップと通電接続されている。第二の選択器部分は、タップ接点を介して、第二の巻線の制御巻線の奇数番の巻線タップと通電接続されている。第一又は第二の選択器部分の各選択器アームは、それぞれ一つのバイパスレールと通電接続されるとともに、それに対応する制御巻線のそれぞれ一つのタップ接点と通電接続される。各バイパスレールは、負荷時タップ切換器と通電接続されている。各選択器アームには、直線的な動きのために、スピンドル、ベルト又はチェーンが配備される。
【００２２】
ａ）負荷開閉器は、第一の開閉側と第二の開閉側を有し、
ｂ）第一の開閉側が、第一の選択器部分の第一のバイパスレールと第二の選択器部分の第二のバイパスレールを切り離すか、或いは接続し、
ｃ）第二の開閉側が、第一の選択器部分の第二のバイパスレールと第二の選択器部分の第一のバイパスレールを切り離すか、或いは接続する、
と規定することができる。
【００２３】
この負荷開閉器は、第一の開閉側と第二の開閉側を有し、第一の開閉側が、第一の選択器部分の第一のバイパスレールと第二の選択器部分の第二のバイパスレールを切り離すか、或いは接続する。同様に、第二の開閉側が、第一の選択器部分の第二のバイパスレールと第二の選択器部分の第一のバイパスレールを切り離すか、或いは接続する。
【００２４】
負荷時タップ切換器の一つの実施構成では、各開閉側が、少なくとも一つの機械式スイッチ、二つの真空開閉管及び一つの抵抗を有する。この機械式スイッチは、一つの真空開閉管を備えた第一の開閉分岐路及びそれに対して並列の、一つの真空開閉管とそれと直列に接続された一つの抵抗を備えた第二の開閉分岐路と直列に接続される。
【００２５】
負荷時タップ切換器の別の実施構成では、各開閉側が、少なくとも一つの機械式スイッチ、二つの真空開閉管及び一つの抵抗を有する。第一の開閉分岐路は、第二の開閉分岐路と並列に接続され、第一の開閉分岐路は、直列に接続された一つの機械式スイッチと一つの真空開閉管を有し、第二の開閉分岐路は、直列に接続された一つの機械式スイッチ、一つの真空開閉管及び一つの抵抗を有する。
【００２６】
負荷時タップ切換器の別の実施構成では、各開閉側が、少なくとも一つの機械式スイッチ、二つの真空開閉管及び一つの抵抗を有する。この機械式スイッチは、一つの真空開閉管と直列に接続され、一つの抵抗を備えた第一の開閉分岐路及び一つの真空開閉管を備えた第二の開閉分岐路と直列に接続され、これらの第一と第二の開閉分岐路は並列に接続される。
【００２７】
ａ）各開閉側が第一及び第二の開閉分岐路と並列に接続された一つの定常主接点を有する、
と規定することができる。
【００２８】
ａ）各開閉側が第一及び第二のバイパスレールを直接互いに切り離すか、或いは互いに通電接続する一つの定常主接点を有する、
と規定することができる。
【００２９】
各開閉側は、第一及び第二の開閉分岐路と並列に接続された一つの定常主接点を有する。更に、各開閉側は、第一及び第二のバイパスレールを直接互いに通電接続する一つの定常主接点を有する。
【００３０】
各開閉側は、必要に応じて任意の形態に構成することができ、例えば、少なくとも一つの追加又は別の機械式スイッチ、少なくとも一つの追加又は別の真空開閉管、少なくとも一つの追加又は別の抵抗及び少なくとも一つの追加又は別の定常主接点の中の一つ以上を備えることができる。
【００３１】
ここで提案する負荷時タップ切換器の各々が、
ａ）選択器及び／又は負荷開閉器に連結された一つの、特に、第一のモータ駆動部を有する、
と規定することができる。
【００３２】
ここで提案する負荷時タップ切換器の各々が、
ａ）モータ駆動部を選択器及び／又は負荷開閉器に連結するための一つの、特に、第一の被動シャフト、
ｂ）モータ駆動部を被動シャフト或いは選択器及び／又は負荷開閉器に連結するための一つの、特に、第一の伝動部、及び
ｃ）モータ駆動部を伝動部に連結するための一つの、特に、第一の駆動シャフト、
の中の一つ以上を有すると規定することができる。
【００３３】
第一のモータ駆動部と第一の選択器及び／又は第一の負荷開閉器との連結は、必要に応じて任意の形態に、例えば、直接的に、或いは間接的に、特に、被動シャフト、伝動部及び駆動シャフトの中の一つ以上を介して行なうことができる。有利には、直接的な連結の場合、第一のモータ駆動部は、第一の選択器及び／又は第一の負荷開閉器の出来る限り近くに配置されるか、第一の選択器及び／又は第一の負荷開閉器に固定されるか、或いはその両方である。
【００３４】
各シャフトは、有利には、電気的に絶縁することができる。
【００３５】
ここで提案する負荷時タップ切換器の各々が、
ａ）上方の支柱端と、地電位に有る台座に固定できる、或いは固定された下方の支柱端とを有する電気絶縁用支柱を有し、
ｂ）選択器が、上方の支柱端の所に固定されて、上方の支柱端の上方に配置される、
と規定することができる。
【００３６】
ピン碍子とも呼ばれる支柱は、各用途において必要な、負荷時タップ切換器の電圧を印加されている接点、導体及びそれ以外の部分と地電位の間の絶縁間隔を提供する。そのため、この支柱の高さが十分である場合、少なくとも７２ｋＶ、少なくとも１２３ｋＶ、或いは少なくとも１４５ｋＶの絶縁間隔を実現することができる。
【００３７】
台座は、例えば、タップ付変成器又は負荷時タップ切換器の部分とすることができる。
【００３８】
この第一の観点に基づき提案した負荷時タップ切換器は、必要に応じて任意の形態に構成することができ、例えば、少なくとも一つの追加又は別の選択器、少なくとも一つの追加又は別の負荷開閉器、少なくとも一つの追加又は別のモータ駆動部、少なくとも一つの追加又は別の被動シャフト、少なくとも一つの追加又は別の伝動部、少なくとも一つの追加又は別の駆動シャフト、及び少なくとも一つの追加又は別の支柱の中の一つ以上を備えることができる。
【００３９】
ａ）負荷開閉器が、上方の支柱端の所に固定されて、上方の支柱端の上方に、特に、選択器の下方に配置されることと、
ｂ）伝動部が、上方の支柱端の所に固定されて、上方の支柱端の上方に、特に、選択器の下方及び／又は抵抗の上方に配置されるか、或いは下方の支柱端の所に固定されて、下方の支柱端の下方に、特に、台座内に配置されることと、
ｃ）モータ駆動部が、下方の支柱端の所に固定されて、下方の支柱端の下方に配置されることと、
ｄ）駆動シャフト又は被動シャフトが、下方の支柱端から上方の支柱端にまで支柱を通って延びることと、
の中の一つ以上であると規定することができる。
【００４０】
ａ）抵抗の中の少なくとも一つが鋳鉄製抵抗として構成される、
と規定することができる。
【００４１】
これらの抵抗は、開閉プロセス毎に非常に高い電力を加えられて、それに応じて熱くなる。次の開閉プロセスまでに冷える可能性が有るが、それは、開閉間隔に応じて、常に一層熱くなるように僅かである場合が有る。その温度が高過ぎる場合、より長い冷却時間を提供するために、開閉間隔を長くしなければならない。それによって、負荷時タップ切換器の動作が阻害される。そのような鋳鉄製抵抗は、巻線抵抗と比べて、より大きな嵩を有し、そのため、エネルギー投入量が同じ場合、より緩慢に熱くなるので、より稀にしか開閉間隔を長くする必要が無い。それは、特に、乾式変成器の場合、抵抗が空気を用いて冷却され、そのことが、油入変成器の場合に変成器オイルを用いて実現可能な冷却よりもずっと効果を小さくするので、乾式変成器に関して重要である。
【００４２】
有利には、空気を用いて行なわれる乾式変成器の冷却時に生じる熱い排気は、その熱い排気が動作中の抵抗よりもずっと温度が低いので、抵抗用の冷却空気として使用することができる。
【００４３】
ここで提案した負荷時タップ切換器の各々が、
ａ）タップ付変成器の制御すべき第二の相用の第二の選択器と、
ｂ）タップ付変成器の制御すべき第三の相用の第三の選択器と、
を有し、
ｃ）これらの第二と第三の選択器が、特に、第一の選択器と同様に構成され、
ｄ）これらの第二及び第三の相が、特に、制御すべき第一の相と同様に構成され、
ｅ）これらの選択器が、三角形の頂点に配置される、
と規定することができる。
【００４４】
このような三相負荷時タップ切換器は、特に、三つの相が正三角形の頂点に互いに対称的に配置された、例えば、特許文献２〜６により周知である、所謂テンプル式変成器に好適である。その理由は、相と選択器の対毎に、同様の、類似した、或いは同じ接続関係が与えられるように、三つの選択器をそれらの相に簡単に割り当てることができ、特に、短い接続配線が可能になるからである。このような三相負荷時タップ切換器に代わって、特に、第一の観点に基づき構成されるか、同じ構造であるか、或いはその両方である三つの単相負荷時タップ切換器を正三角形の頂点に互いに相対的に配置することもできる。
【００４５】
有利には、この三角形は正三角形であり、選択器が、それらの頂点に互いに相対的に配置される。
【００４６】
ここで提案した負荷時タップ切換器の各々が、
ａ）第二の選択器に割り当てられた第二の負荷開閉器と、
ｂ）第三の選択器に割り当てられた第三の負荷開閉器と、
を有し、
ｃ）これらの第二と第三の負荷開閉器が、特に、第一の負荷開閉器と同様に構成される、
と規定することができる。
【００４７】
ａ）モータ駆動部が第二と第三の選択器及び／又は第二と第三の負荷開閉器に連結される、
と規定することができる。
【００４８】
ここで提案した負荷時タップ切換器の各々が、
ａ）モータ駆動部を第二の選択器及び／又は第二の負荷開閉器に連結するための第二の被動シャフトと、
ｂ）モータ駆動部を第三の選択器及び／又は第三の負荷開閉器に連結するための第三の被動シャフトと、
ｃ）モータ駆動部を第二の被動シャフトに、或いは第二の選択器及び／又は第二の負荷開閉器に連結するための第二の伝動部と、
ｄ）モータ駆動部を第三の被動シャフトに、或いは第三の選択器及び／又は第三の負荷開閉器に連結するための第三の伝動部と、
ｅ）モータ駆動部を第二の伝動部に連結するための第二の駆動シャフトと、
ｆ）モータ駆動部を第二の伝動部に連結するための第三の駆動シャフトと、
の中の一つ以上を有すると規定することができる。
【００４９】
ここで提案した負荷時タップ切換器の各々が、
ａ）第二の選択器及び／又は第二の負荷開閉器に連結された第二のモータ駆動部と、
ｂ）第三の選択器及び／又は第三の負荷開閉器に連結された第三のモータ駆動部と、
を有し、
ｃ）これらの第二と第三のモータ駆動部が、特に、第一のモータ駆動部と同様に構成され、及び／又は
ｄ）これらの第二と第三のモータ駆動部とそれぞれ対応する選択器及び／又は負荷開閉器との連結が、特に、第一のモータ駆動部と第一の選択器及び／又は第一の負荷開閉器との連結と同様に行なわれる、
と規定することができる。
【００５０】
ａ）特に、機械式連結及び／又は電気式連結によって、これらのモータ駆動部を同期させる、
と規定することができる。
【００５１】
第二の観点において、本発明は、特に、第一の観点に基づき構成された一つの、特に、第一の負荷時タップ切換器と、第一の巻線と第二の巻線を備えた少なくとも一つの制御すべき相とを有し、
ａ）第一の巻線が、偶数番の巻線タップを備えた制御巻線と主巻線とを有し、第二の巻線が、奇数番の巻線タップを備えた制御巻線と主巻線とを有し、
ｂ）第一の巻線と第二の巻線が、これらの偶数番と奇数番の巻線タップの制御巻線と誘導結合されており、
ｃ）負荷時タップ切換器が、切り換えるべき偶数番又は奇数番の巻線タップを無電力状態で交互に事前選択する第一の選択器部分と第二の選択器部分を有する、
電圧制御用タップ付変成器を提案する。
【００５２】
本発明の第二の観点に基づき提案した電圧制御用タップ付変成器は、特に、第一の観点に基づき構成された一つの、特に、第一の負荷時タップ切換器と、第一の巻線と第二の巻線を備えた少なくとも一つの制御すべき相とを有する。第一の巻線は、偶数番の巻線タップを備えた制御巻線と主巻線とを有する。第二の巻線は、奇数番の巻線タップを備えた制御巻線と主巻線とを有する。第一の巻線と第二の巻線は、これらの偶数番と奇数番の巻線タップの制御巻線と誘導結合されている。この負荷時タップ切換器は、切り換えるべき偶数番又は奇数番の巻線タップを無電力状態で交互に事前選択する第一の選択器部分と第二の選択器部分を有する。
【００５３】
ａ）第一の選択器部分と第二の選択器部分が、それぞれ各制御巻線の巻線タップ用の二つの選択器アームを有し、
ｂ）第一又は第二の選択器部分の各選択器アームがそれぞれ一つのバイパスレールと通電接続されるとともに、それに対応する制御巻線のそれぞれ一つのタップ接点と通電接続されており、
ｃ）各バイパスレールが負荷時タップ切換器と通電接続されている、
と規定することができる。
【００５４】
第一の選択器部分と第二の選択器部分は、それぞれ各制御巻線の巻線タップ用の二つの選択器アームを有する。第一又は第二の選択器部分の各選択器アームは、それぞれ一つのバイパスレールと通電接続されるとともに、それに対応する制御巻線のそれぞれ一つのタップ接点と通電接続されている。各バイパスレールは、負荷時タップ切換器と通電接続されている。
【００５５】
ａ）第一の選択器部分と第二の選択器部分を操作するための一つの、特に、第一のモータ駆動部を備えた一つの、特に、第一の伝動部が配備されることと、
ｂ）各相の負荷時タップ切換器がそれぞれ共通のモータ駆動部と接続されることと、
ｃ）タップ付変成器が乾式変成器として構成されることと、
の中の一つ以上であると規定することができる。
【００５６】
一つの、特に、第一の伝動部は、第一の選択器部分と第二の選択器部分の操作を実施するために、一つの、特に、第一のモータ駆動部を配備されている。各相の負荷時タップ切換器は、それぞれ共通のモータ駆動部と接続される。タップ付変成器は、乾式変成器として構成される。
【００５７】
第一の代替構成では、ここで提案したタップ付変成器の各々が、
ａ）特に、制御すべき第一の相と同様に構成された制御すべき第二及び第三の相を有し、
ｂ）これらの相が、第一の三角形、特に、正三角形の頂点に、特に、互いに対称的に配置され、
ｃ）この負荷時タップ切換器が、
第二の相のための第二の選択器と、
第三の相のための第三の選択器と、
を有し、
ｄ）これらの第二と第三の選択器が、特に、第一の選択器と同様に構成され、
ｅ）これらの選択器が、第二の三角形の頂点に配置される、
と規定することができる。
【００５８】
有利には、第二の三角形が正三角形であり、それらの頂点に選択器が互いに対称的に配置される。この第二の正三角形の対称軸は、特に、第一の三角形の対称軸と同軸である。
【００５９】
第二の代替構成では、ここで提案したタップ付変成器の各々が、
ａ）特に、制御すべき第一の相と同様に構成された制御すべき第二及び第三の相と、
ｂ）特に、第一の負荷時タップ切換器と同様に構成された、第二の相用の第二の負荷時タップ切換器及び第三の相用の第三の負荷時タップ切換器と、
を有し、
ｃ）これらの相が、第一の三角形、特に、正三角形の頂点に、特に、互いに対称的に配置され、
ｄ）これらの負荷時タップ切換器が、第二の三角形の頂点に配置される、
と規定することができる。
【００６０】
有利には、第二の三角形が正三角形であり、それらの頂点に負荷時タップ切換器が互いに対称的に配置される。この第二の正三角形の対称軸は、特に、第一の三角形の対称軸と同軸である。
【００６１】
従って、これらの両方の代替構成に基づくタップ付変成器は、テンプル式変成器であり、例えば、特許文献２〜６により周知のテンプル式変成器に類似している。これらのタップ付変成器では、相と負荷時タップ切換器の対又は相と選択器の対毎に、同様の、類似した、或いは同じ接続関係が与えられるように、三つの負荷時タップ切換器又は三つの選択器をこれらの相に簡単に割り当てることができて、特に、短い接続配線が可能になる。
【００６２】
両方の代替構成では、タップ付変成器が、
ａ）相毎に、各選択器及び／又は各負荷開閉器に連結されたモータ駆動部、
を有し、
ｂ）これらのモータ駆動部が、第三の三角形の頂点に配置される、
と規定することができる。
【００６３】
有利には、第三の三角形が正三角形であり、それらの頂点にモータ駆動部が互いに対称的に配置される。この第三の正三角形の対称軸は、特に、第一の正三角形の対称軸及び／又は第二の正三角形の対称軸と同軸である。
【００６４】
本発明の第三の観点に基づき提案する、特に、第三の観点に基づき構成された電圧制御用タップ付変成器で切換を実施する方法は、
ａ）第一又は第二の巻線の制御巻線の切り換えるべき偶数番又は奇数番の巻線タップを無負荷状態で事前選択する工程と、
ｂ）この事前選択した第一又は第二の巻線の偶数番又は奇数番の巻線タップを個々の負荷開閉器を用いて切り換える工程と、
を有する。
【００６５】
ａ）第一又は第二の巻線の制御巻線の偶数番又は奇数番の巻線タップを交互に事前選択して切り換える、
と規定することができる。
【００６６】
第一又は第二の巻線の制御巻線の偶数番又は奇数番の巻線タップは、交互に事前選択されて切り換えられる。
【００６７】
本発明の観点の中の一つ、特に、その観点の個々の特徴に関する実施形態及び説明は、それに対応して本発明の別の観点にも同様に有効である。
【００６８】
以下において、本発明の実施構成の例を添付図面に基づき詳しく説明する。しかし、それにより判明する個々の特徴は、個々の実施構成に限定されず、上述した個々の特徴及び／又は別の実施構成の個々の特徴との関連付け及び／又は組み合わせを行なうことができる。図面における細部は、単に説明するためのものであるが、制限するためのものであると解釈してはならない。請求項に含まれる符号は、本発明の保護範囲を決して制限せず、図面に図示された実施構成だけに付与されたものである。
【図面の簡単な説明】
【００６９】
【図１】第一の実施構成の負荷時タップ切換器を備えたタップ付変成器の第一の実施構成の図
【図２ａ】図１の電圧制御用タップ付変成器での切換フロー図
【図２ｂ】図１の電圧制御用タップ付変成器での切換フロー図
【図２ｃ】図１の電圧制御用タップ付変成器での切換フロー図
【図２ｄ】図１の電圧制御用タップ付変成器での切換フロー図
【図２ｅ】図１の電圧制御用タップ付変成器での切換フロー図
【図２ｆ】図１の電圧制御用タップ付変成器での切換フロー図
【図２ｇ】図１の電圧制御用タップ付変成器での切換フロー図
【図３】負荷時タップ切換器用負荷開閉器の第一の実施構成の図
【図４】図３の負荷開閉器の操作シーケンス図
【図５】負荷開閉器の第二の実施構成の図
【図６】負荷開閉器の第三の実施構成の図
【図７】負荷開閉器の第四の実施構成の図
【図８】第二の実施構成による三つの負荷時タップ切換器の具体的な構成図
【図９】図８の負荷時タップ切換器の中の一つの選択器の詳細図
【図１０】第三の実施構成の負荷時タップ切換器を備えたタップ付変成器の第二の実施構成の図
【発明を実施するための形態】
【００７０】
本発明の同じ、或いは同様に作用する構成要素に対しては、同じ符号が使用されている。更に、見易くするために、個々の図面では、その時々の図面の説明に必要な符号だけが表示されている。ここに図示された実施構成は、本発明による負荷時タップ切換器を備えたタップ付変成器を如何に構成できるかの単なる例であり、そのため、本発明を最終的に制限するものではない。
【００７１】
図１は、第一の実施構成の負荷時タップ切換器１０を備えたタップ付変成器１５の第一の実施構成の模式図を図示している。このタップ付変成器１５は、通常三つの相１６，１７，１８を有し、ここでは、第一の相１６だけが図示されている。各相１６，１７，１８は、互いに誘導結合された第一の巻線２０と第二の巻線３０から構成される。第一の巻線２０は、制御巻線２１と主巻線２２から構成される。この制御巻線２１は、偶数番の巻線タップ２３を有する。第二の巻線３０は、同じく制御巻線３１と主巻線３２を有する。この第二の巻線３０の制御巻線３１は、奇数番の巻線タップ３３を有する。
【００７２】
この負荷時タップ切換器１０は、選択器４０と負荷開閉器６０を有する。この選択器４０は、第一の選択器部分４１と第二の選択器部分４６から構成され、これらは、両方とも直線的に構築されている。二つの選択器部分４１，４６は、必ずしも直線的である必要が無く、例えば、円形に複数の面上に分散して配置することもできる。第一の選択器部分４１は、第一の巻線２０の制御巻線２１の偶数番の巻線タップ２３と通電接続されたタップ接点４４を有する。第二の選択器部分４６は、第二の巻線３０の制御巻線３１の奇数番の巻線タップ３３と通電接続されたタップ接点４９を有する。
【００７３】
更に、第一の選択器部分４１は、第一のバイパスレール５１と第二のバイパスレール５２を有する。第二の選択器部分４６は、同じく第一のバイパスレール５３と第二のバイパスレール５４を有する。各バイパスレール５１，５２，５３，５４とタップ接点４４，４９の間には、それぞれ偶数番又は奇数番の巻線タップ２３，３３とそれに対応するバイパスレール５１，５２，５３，５４の間の通電接続を形成する選択器アーム４２，４３，４７，４８が配置されている。これらのバイパスレール５１，５２，５３，５４は、更に、負荷開閉器６０と通電接続されている。
【００７４】
この負荷開閉器６０は、開閉することが可能な、即ち、電流Ｉを通すか、或いは遮断する第一と第二の開閉側６０Ａ，６０Ｂから構成される。これらの状況は、この図面では、簡単な単一のスイッチシンボルにより表示されているが、並列及び直列に接続された複数の開閉手段から構成することもできる。
【００７５】
この負荷開閉器６０は、必要に応じて任意の形態に、例えば、以下で図３及び図５〜７に基づき更に説明する実施構成の中の一つに基づき構成することができる。
【００７６】
図１に図示された位置では、第一と第二の選択器部分４１，４６の個々のタップ接点４４，４９が、そのため第一と第二の巻線２０，３０も互いに通電接続されている。この場合、番号６のタップ接点４４が、第二の選択器アーム４３を介して第一の選択器部分４１の第二のバイパスレール５２と接続されている。第二の開閉側６０Ｂが閉じられているので、第一の選択器部分４１の第二のバイパスレール５２は、第二の選択器部分４６の第一のバイパスレール５３と接続されている。この場合、第一のバイパスレール５３と番号５のタップ接点４９の間の通電接続が第一の選択器アーム４７を介して形成されている。第一の開閉側６０Ａが開かれているので、第一の選択器部分４１の第一のバイパスレール５１と第二の選択器部分４６の第二のバイパスレール５４は互いに切り離されている。
【００７７】
図２ａ〜２ｇには、図１のタップ付変成器１５で電圧を制御するための切換フローが図示されている。
【００７８】
図２ａには、第一の巻線２０の主巻線２２から制御巻線２３の番号６の偶数番の巻線タップ２３までの電流が第一の選択器部分４１の番号６のタップ接点４４に流れることが図示されている。第二の開閉側６０Ｂが通電状態なので、電流が番号６のタップ接点４４から第二の選択器アーム４３を介して第二のバイパスレール５２にまで、そのため、第二の開閉側６０Ｂにまで流れる。次に、第二の開閉側６０Ｂでは、第一の選択器部分４１の第二のバイパスレール５２と第二の選択器部分４６の第一のバイパスレール５３が選択器アーム４７を介して番号５のタップ接点４９と接続されている。このタップ接点４９は、第二の巻線３０の番号５の奇数番の巻線タップ３３と接続されている。
【００７９】
第一の巻線２０の偶数番の巻線タップ２３を切換可能とするために、先ず第一の選択器部分４１の第一の選択器アーム４２を無電力状態で第一の選択器部分４１の番号４の次に切り換えるべきタップ接点４４に移動させるとともに、第二の選択器部分４６の第二の選択器アーム４８を既に第二の選択器部分４６の第一の選択器アーム４７が接触している番号５のタップ接点４９に移動させる。ここで、負荷開閉器６０の開閉手段の好適な開閉シーケンス又は操作シーケンス（図４）によって、開閉側６０Ａを閉じるとともに、開閉側６０Ｂを開く。この実現可能な負荷開閉器６０の正確な実施形態とその操作シーケンスを図３〜７に基づき説明する。それによって、図２ｃに図示されている通り、番号４の偶数番の巻線タップ２３から第一の選択器部分４１の番号４のタップ接点４４、第一の選択器アーム４２、第一のバイパスレール５１、第一の開閉分岐部６０Ａ、第二の選択器部分４６の第二のバイパスレール５４及び第二の選択器アーム４８を介した、番号５の奇数番の巻線タップ３３と接続された番号５のタップ接点４９の通電接続が形成される。
【００８０】
ここで、別の巻線タップに切り換える場合（図２ｄ）、そのために制御巻線３１の奇数番の巻線タップ３３を使用する。そのためには、第一の選択器部分４１の第二の選択器アーム４３を既に第一の選択器部分４２により事前選択された、偶数番の巻線タップ３３と接続されている番号４のタップ接点４４に移動させる。更に、第二の選択器部分４６の第一の選択器アーム４７を次に切り換えるべき番号３のタップ接点４９に移動させる。次に、負荷開閉器６０の開閉手段の好適な操作によって、第二の切換側６０Ｂを閉じるとともに、第一の切換側６０Ａを開く。それによって、図２ｅで見ることができる通り、奇数番の巻線タップ３３に切り換えられて、第一の巻線２０と第二の巻線３０が第二の切換側６０Ｂを介して互いに接続される。
【００８１】
巻線タップの次の切換の場合、図２ｆに図示されている通り、再び偶数番の巻線タップ２３を利用する。この場合、第一の選択器部分４１の第一の選択器アーム４２が、第一の巻線２０の制御巻線２１の偶数番の巻線タップ２３と接続された次のタップ接点４４を選択する。更に、第二の選択器アーム４８は、既に第一の選択器アーム４７が移動しているタップ接点４９を事前選択する。図２ｇで見ることができる通り、第二の開閉側６０Ｂの開路と第一の開閉側６０Ａの閉路によって、最終的な偶数番の巻線タップ２３に切り換える。一般的に、切り換え及び切り離しは、常に偶数番と奇数番の巻線タップ２３，３３の間で交互に行なわれる。
【００８２】
図３には、例えば、第一の実施構成により構成された負荷時タップ切換器１０用の負荷開閉器６０の第一の実施構成が図示されている。これは、第一の開閉側６０Ａと第二の開閉側６０Ｂを有する。第一の開閉側６０Ａは、閉じられた状態において、第一の選択器部分４１の第一のバイパスレール５１と第二の選択器部分４６の第二のバイパスレール５４を接続する。第二の開閉側６０Ｂは、閉じられた状態において、第二の選択器部分４６の第一のバイパスレール５３と第一の選択器部分４１の第二のバイパスレール５２を接続する。両方の開閉側６０Ａ，６０Ｂは、互いに並列に配置された第一と第二の開閉分岐路６１，６２，６３，６４を有する。各第一の開閉分岐路６１，６３には、主接点として機能する真空開閉管ＭＳＶａ又はＭＳＶｂが配置されている。各第二の開閉分岐路６２，６４には、直列に接続された、抵抗接点として機能する真空開閉管ＴＴＶａ又はＴＴＶｂと抵抗Ｒａ又はＲｂとが配置されている。開閉分岐路６１，６２，６３，６４の前には、機械式スイッチＭＤＣａ又はＭＤＣｂが遮断スイッチとして構成されている。これらの遮断スイッチは、負荷電流を流さない負荷分岐路の転流ではなく、遮断切換を行なう、即ち、電気的に遮断する役割を果たす。
【００８３】
この実施構成では、抵抗Ｒａ，Ｒｂは、鋳鉄製抵抗として構成されている。
【００８４】
図４は、第一と第二の選択器部分４１，４６の事前選択プロセスに基づく、図３に図示された負荷開閉器６０の動作シーケンスを図示している。この負荷開閉器６０での切換は、次の工程により行なわれる。
【００８５】
ａ）ＭＤＣｂを閉じる工程、
ｂ）ＭＳＶａを開く工程、
ｃ）ＴＴＶｂを閉じる工程、
ｄ）ＴＴＶａを開く工程、
ｅ）ＭＳＶｂを閉じる工程、
ｆ）ＭＤＣａを開いて、切換を終了する工程。
【００８６】
図５は、負荷時タップ切換器１０用の負荷開閉器６０の第二の実施構成を図示している。この実施構成は、第一の実施構成と類似しており、そのため、以下では、特に、相違点を詳しく説明する。
【００８７】
この実施構成では、定常動作において、周知の手法で定常電流を流す役割を果たすとともに、それぞれ主接点として動作する真空開閉管ＭＳＶａ又はＭＳＶｂの負荷を軽減するための追加の定常主接点ＭＣａ又はＭＣｂが両方の開閉側６０Ａ，６０Ｂに配備されている。本発明の範囲内では、そのような定常主接点ＭＣａ又はＭＣｂを追加配置することは、当然のことながら、本発明の別途説明する実施構成においても可能である。これらの個々の真空開閉管と機械式スイッチを操作する順番は、自由に決定することができる。
【００８８】
図６は、負荷時タップ切換器１０用の負荷開閉器６０の第三の実施構成を図示している。この実施構成は、第一の実施構成と類似しており、そのため、以下では、特に、相違点を詳しく説明する。
【００８９】
この実施構成では、図３の第一の実施構成と異なり、第一の開閉分岐路６１，６３において、機械式スイッチＭＤＣａ又はＭＤＣｂが真空開閉管ＭＳＶａ又はＭＳＶｂと直列に配置され、更に、第二の開閉分岐路６２，６４において、第二の機械式スイッチＴＤＣａ又はＴＤＣｂが真空開閉管ＴＴＶａ又はＴＴＶｂと直列に配置されている。これらの個々の真空開閉管と機械式スイッチを操作する順番は、自由に決定することができる。
【００９０】
図７は、負荷時タップ切換器１０用の負荷開閉器６０の第四の実施構成を図示している。この実施構成は、第一の実施構成と類似しており、そのため、以下では、特に、相違点を詳しく説明する。
【００９１】
この実施構成では、各第一の開閉分岐路６１，６３には、抵抗Ｒａ，Ｒｂが配置され、各第二の開閉分岐路６２，６４には、真空開閉管ＭＳＶａ又はＭＳＶｂが配置されている。開閉分岐路６１，６２，６３，６４の前には、遮断スイッチとしての機械式スイッチＭＤＣａ，ＭＤＣｂと抵抗接点として動作する真空開閉管ＴＴＶａ，ＴＴＶｂとが直列に接続されている。これらの個々の真空開閉管と機械式スイッチを操作する順番は、自由に決定することができる。
【００９２】
図８は、三相タップ付変成器１５用に使用される第二の実施構成の三つの負荷時タップ切換器、即ち、第一の負荷時タップ切換器１０、第二の負荷時タップ切換器５５及び第三の負荷時タップ切換器５６を図示している。この実施構成は、第一の実施構成と類似しており、そのため、以下では、特に、相違点を詳しく説明する。
【００９３】
この実施構成では、各負荷時タップ切換器１０，５５，５６において、各選択器（図９）、即ち、第一の選択器４０、第二の選択器４５及び第三の選択器５０の第一と第二の選択器部分４１，４６が、その直ぐ下に取り付けられた伝動部、即ち、第一の伝動部７０、第二の伝動部３６及び第三の伝動部３７を介して駆動される。各伝動部７０，３６，３７の下には、両方の開閉側６０Ａ，６０Ｂの抵抗６７が配置されている。各伝動部７０，３６，３７と各抵抗６７の側には、同じく各伝動部７０，３６，３７を介して操作される負荷開閉器、即ち、第一の負荷開閉器６０、第二の負荷開閉器３８及び第三の負荷開閉器３９がそれぞれ取り付けられている。全ての負荷時タップ切換器１０，５５，５６は、共通のリンク機構７１を介して共通のモータ駆動部７２と連結される、或いは連結されている。
【００９４】
この実施構成では、抵抗６７は、それぞれ鋳鉄製抵抗として構成され、それぞれ各負荷開閉器６０，３８，３９の抵抗Ｒａ，Ｒｂから成る。各負荷開閉器６０，３８，３９は、ここでは、例として図３に図示された第一の実施構成に基づき構成されているが、図５に図示された第二の実施構成、図６に図示された第三の実施構成、図７に図示された第四の実施構成、或いは必要に応じてそれ以外の形態で構成することもできる。
【００９５】
この実施構成では、各負荷時タップ切換器１０，５５，５６は、上方の支柱端１２と、地電位に有る台座１４に固定された下方の支柱端１３とをそれぞれ備えた二つの電気絶縁用支柱１１を有する。この台座１４は、ここでは、例としてタップ付変成器１５の部分であるが、負荷時タップ切換器１０，５５，５６の中の少なくとも一つの部分とすることもできる。これらの選択器４０，４５，５０の各々は、各上方の支柱端１２の所に固定されて、各上方の支柱端１２の上方に配置されている。これらの負荷開閉器６０，３８，３９の各々は、各上方の支柱端１２の所に固定されて、各上方の支柱端１２の上方及び各選択器４０，４５，５０の下方に配置されている。これらの伝動部７０，３６，３７の各々は、各上方の支柱端１２の所に固定されて、各上方の支柱端１２の上方、各選択器４０，４５，５０の下方、並びに抵抗６７の下方に配置されている。
【００９６】
この実施構成では、リンク機構７１は、モータ駆動部７２から台座１４にまでほぼ水平に延びて、更に、台座１４内を各負荷時タップ切換器１０，５５，５６の支柱１１の下にまで延びる電気絶縁用分配シャフトを有するとともに、負荷時タップ切換器１０，５５，５６毎に、それぞれ台座１４から各伝動部７０，３６，３７にまでほぼ垂直に延びる電気絶縁用駆動シャフト、即ち、第一、第二及び第三の駆動シャフト１９，３４，３５を有する。各駆動シャフト１９，３４，３５は、台座１４内において、一方の側を分配シャフトの中の一つと連結され、他方の側を各伝動部７０，３６，３７と連結されている。これらの駆動シャフト１９，３４，３５は、ここでは、それぞれ二つの支柱１１の間を延びているが、それぞれ下方の支柱端１３から上方の支柱端１２にまで各支柱１１の中の一つを通って延びることもできる。
【００９７】
さもなければ、伝動部７０，３６，３７の各々が各下方の支柱端１３の所に固定されて、各下方の支柱端１３の下方に、特に、台座１４内に配置されることと、リンク機構７１が、負荷時タップ切換器１０，５５，５６毎の駆動シャフト１９，３４，３５の代わりに、それぞれ各伝動部７０，３６，３７から各選択器４０，４５，５０及び各負荷開閉器６０，３８，３９にまでほぼ垂直に延びる図示されていない電気絶縁用被動シャフトを有することとが可能である。各伝動部７０，３６，３７は、台座１４内において、分配シャフトの中の一つと連結されるとともに、各被動シャフトは、一方の側を各伝動部７０，３６，３７と連結され、他方の側を各選択器４０，４５，５０及び各負荷開閉器６０，３８，３９と連結される。これらの被動シャフトは、ここでは、それぞれ二つの支柱１１の間を延びているが、それぞれ下方の支柱端１３から上方の支柱端１２にまで各支柱１１の中の一つを通って延びることもできる。
【００９８】
さもなければ、各負荷時タップ切換器１０，５５，５６は、共通のモータ駆動部７２、分配シャフト及び伝動部７０，３６，３７の代わりに、図示されていない独自のモータ駆動部を有し、このモータ駆動部を各下方の支柱端１３の所に固定して、各下方の支柱端１３の下方に、特に、台座１４内に配置することが可能である。各被動シャフトは、一方の側を各モータ駆動部と連結され、他方の側を各選択器４０，４５，５０及び各負荷開閉器６０，３８，３９と連結される。従って、それによって、負荷時タップ切換器１０，５５，５６毎に直接駆動部が実現される。有利には、機械式連結及び／又は電気式連結によって、これらのモータ駆動部を同期させる。
【００９９】
図９は、図８の第一の負荷時タップ切換器１０の詳細図を図示している。ここでは、第一と第二の選択器部分４１，４６が図示されている。選択器アーム４２，４３，４７，４８が接触するタップ接点４４，４９は、垂直方向に対して直線的に絶縁ロッド７３に取り付けられている。これらの選択器アーム４２，４３，４７，４８は、スピンドル又はベルトによって垂直方向に動かされる。
【０１００】
図１０には、第三の実施構成の負荷時タップ切換器１０を備えたタップ付変成器１５の第二の実施構成が模式図で図示されている。このタップ付変成器１５の第二の実施構成が第一の実施構成と類似し、この負荷時タップ切換器１０の第三の実施構成が第二の実施構成と類似しており、そのため、以下では、特に、相違点を詳しく説明する。
【０１０１】
この実施構成では、タップ付変成器１５の相１６，１７，１８は、テンプル式変成器の場合と同様に、対称軸２５が重心を通る第一の正三角形２４の頂点に互いに対称的に配置されている。このタップ付変成器１５は、三相負荷時タップ切換器１０として構成された、三つの相１６，１７，１８に対して共通の一つの負荷時タップ切換器１０を有する。
【０１０２】
この実施構成では、負荷時タップ切換器１０は、第二の相１７のために第二の選択器４５と第二の負荷開閉器３８を有し、第三の相１８のために第三の選択器５０と第三の負荷開閉器３９を有する。これら二つの選択器４５，５０は、第一の選択器４０と同様に構成され、これら二つの負荷開閉器３８，３９は、第一の負荷開閉器６０と同様に構成されている。これらの選択器４０，４５，５０と負荷開閉器６０，３８，３９は、例えば、対称軸２７が重心を通る第二の正三角形２６の頂点に互いに対称的に配置される。
【０１０３】
この実施構成では、負荷時タップ切換器１０は、相１６，１７，１８毎にモータ駆動部を有する、即ち、それぞれリンク機構７１を介して各選択器４０，４５，５０及び各負荷開閉器６０，３８，３９と連結された第一のモータ駆動部７２、第二のモータ駆動部６８及び第三のモータ駆動部６９を有する。これらのモータ駆動部７２，６８，６９は、例えば、対称軸２９が重心を通る第三の正三角形２８の頂点に互いに対称的に配置される。さもなければ、これらは、各選択器４０，４５，５０及び各負荷開閉器６０，３８，３９の下に設置することができ、そのため、第二の正三角形２６の頂点に配置することもできる。
【０１０４】
これらの対称軸２５，２７，２９は互いに同軸である。
【０１０５】
このタップ付変成器１５は、相１６，１７，１８毎に、各選択器４０，４５，５０の第一の選択器部分４１のタップ接点４４を各第一の巻線２０の制御巻線２１の偶数番の巻線タップ２３と通電接続する接続配線６５と、各選択器４０，４５，５０の第二の選択器部分４６のタップ接点４６を各第二の巻線３０の制御巻線３１の奇数番の巻線タップ３３と通電接続する接続配線６６とを有する。
【符号の説明】
【０１０６】
１０    第一の負荷時タップ切換器
１１    支柱
１２    支柱１１の上方の支柱端
１３    支柱１１の下方の支柱端
１４    台座
１５    タップ付変成器
１６    第一の相
１７    第二の相
１８    第三の相
１９    第一の駆動シャフト
２０    第一の巻線
２１    第一の巻線２０の制御巻線
２２    第一の巻線２０の主巻線
２３    制御巻線２１の偶数番の巻線タップ
２４    第一の三角形
２５    第一の三角形２４の対称軸
２６    第二の三角形
２７    第二の三角形２６の対称軸
２８    第三の三角形
２９    第三の三角形２８の対称軸
３０    第二の巻線
３１    第二の巻線３０の制御巻線
３２    第二の巻線３０の主巻線
３３    制御巻線３１の奇数番の巻線タップ
３４    第二の駆動シャフト
３５    第三の駆動シャフト
３６    第二の伝動部
３７    第三の伝動部
３８    第二の負荷開閉器
３９    第三の負荷開閉器
４０    第一の選択器
４１    第一の選択器４０の第一の選択器部分
４２    第一の選択器部分４１の第一の選択器アーム
４３    第一の選択器部分４１の第二の選択器アーム
４４    第一の選択器部分４１のタップ接点
４５    第二の選択器
４６    第一の選択器４０の第二の選択器部分
４７    第二の選択器部分４６の第一の選択器アーム
４８    第二の選択器部分４６の第二の選択器アーム
４９    第二の選択器部分４６のタップ接点
５０    第三の選択器
５１    第一の選択器部分４１の第一のバイパスレール
５２    第一の選択器部分４１の第二のバイパスレール
５３    第二の選択器部分４６の第一のバイパスレール
５４    第二の選択器部分４６の第二のバイパスレール
５５    第二の負荷時タップ切換器
５６    第三の負荷時タップ切換器
６０    第一の負荷開閉器
６０Ａ／６０Ｂ    第一の負荷開閉器６０の第一／第二の開閉側
６１    第一の開閉側６０Ａの第一の開閉分岐路
６２    第一の開閉側６０Ａの第二の開閉分岐路
６３    第二の開閉側６０Ｂの第一の開閉分岐路
６４    第二の開閉側６０Ｂの第二の開閉分岐路
６５    タップ接点４４の接続配線
６６    タップ接点４９の接続配線
６７    第一／第二の開閉側６０Ａ／６０Ｂの抵抗
６８    第二のモータ駆動部
６９    第三のモータ駆動部
７０    第一の伝動部
７１    リンク機構
７２    第一のモータ駆動部
７３    絶縁ロッド
ＴＴＶａ／ＴＴＶｂ    第一／第二の開閉側６０Ａ／６０Ｂの真空開閉管
ＭＳＶａ／ＭＳＶｂ    第一／第二の開閉側６０Ａ／６０Ｂの真空開閉管
ＭＤＣａ／ＭＤＣｂ    第一／第二の開閉側６０Ａ／６０Ｂの機械式スイッチ
ＴＤＣａ／ＴＤＣｂ    第一／第二の開閉側６０Ａ／６０Ｂの機械式スイッチ
ＭＣａ／ＭＣｂ        第一／第二の開閉側６０Ａ／６０Ｂの定常主接点
Ｒａ／Ｒｂ            第一／第二の開閉側６０Ａ／６０Ｂの抵抗
Ｉ      電流
【図１】
0006438028.tif 000002
【図２ａ】
0006438028.tif 000003
【図２ｂ】
0006438028.tif 000004
【図２ｃ】
0006438028.tif 000005
【図２ｄ】
0006438028.tif 000006
【図２ｅ】
0006438028.tif 000007
【図２ｆ】
0006438028.tif 000008
【図２ｇ】
0006438028.tif 000009
【図３】
0006438028.tif 000010
【図４】
0006438028.tif 000011
【図５】
0006438028.tif 000012
【図６】
0006438028.tif 000013
【図７】
0006438028.tif 000014
【図８】
0006438028.tif 000015
【図９】
0006438028.tif 000016
【図１０】
0006438028.tif 000017